(57)【要約】【課題】制御手段に不具合が生じた場合でも、過電流によるモータの温度上昇を抑制することができる照明器具を提供する。【解決手段】制御手段８は、灯体部の上昇中には上昇制御リレー１０をオンして灯体部が上昇停止位置まで上昇したことが上昇時検出スイッチ２６で検出されたときに上昇制御リレーをオフし、一方、灯体部の下降中には下降制御リレー１１をオンして灯体部が下降停止位置まで下降したことが下降時検出スイッチ２７で検出されたときに下降制御リレー１１をオフする。過上昇防止スイッチ２４は上昇制御リレー１０と直列に接続され、灯体部が上昇停止位置よりも高い過上昇位置まで上昇するとオフしてモータ１７への通電を遮断し、過下降防止スイッチ２５は下降制御リレー１１と直列に接続され、灯体部が下降停止位置よりも低い過下降位置まで下降するとオフしてモータ１７への通電を遮断する。【選択図】図１
2008091157.tif 000002
【特許請求の範囲】
【請求項１】
ランプを保持する灯体部と、灯体部を昇降可能に吊り下げ支持する器具本体と、モータを有しモータへの通電時に器具本体に対して灯体部を昇降させる昇降装置と、モータへの電力供給路上に挿入されモータへの通電を入切する開閉素子と、灯体部の上昇および下降の少なくとも一方について灯体部の昇降を停止させる位置として設定された停止位置まで灯体部が昇降したことを検出する検出手段と、灯体部の昇降中には開閉素子をオンし灯体部が停止位置まで昇降したことが検出手段で検出されたときに開閉素子をオフする制御手段と、モータへの電力供給路上において前記開閉素子と直列に接続された機械接点および当該機械接点をオンオフするように操作される操作子を有し、灯体部が前記停止位置を越えて過昇降位置まで昇降すると操作子が操作されて前記機械接点をオフする過昇降防止スイッチとを備えることを特徴とする照明器具。
【請求項２】
前記検出手段は前記制御手段に接続された機械接点と当該機械接点をオンオフするように操作される操作子とを有し、検出手段および前記過昇降防止スイッチは、前記灯体部が前記停止位置と前記過昇降位置との各々まで昇降したときに、灯体部の昇降に伴って移動する１個の昇降検出子によって各操作子が順次操作されるように配置されることを特徴とする請求項１記載の照明器具。
【請求項３】
前記昇降検出子は、前記器具本体に上下移動可能に設けられており、前記灯体部の上昇時に灯体部に押圧されることにより上方に移動することを特徴とする請求項２記載の照明器具。
【請求項４】
前記検出手段は前記制御手段に接続された機械接点と当該機械接点をオンオフするように操作される操作子とを有し、検出手段および前記過昇降防止スイッチは、前記灯体部が前記停止位置と前記過昇降位置との各々まで昇降したときに、灯体部の昇降に伴ってそれぞれ移動する別々の昇降検出子によって各操作子が順次操作されるように配置されることを特徴とする請求項１記載の照明器具。
【請求項５】
前記器具本体は複数本のワイヤによって前記灯体部を吊り下げ支持し、前記昇降装置は、ワイヤが巻き取り量によって巻径が変化するように巻回されたリールを有し、前記モータによってリールを回転させてワイヤの巻き取りおよび巻き出しを行うことにより灯体部を昇降させており、前記各昇降検出子は、リールでのワイヤの巻き取り量に応じてワイヤの巻径が変化すると、異なるワイヤのリールから引き出された部分にそれぞれ押圧されることにより各ワイヤの長手方向に交わる面内でそれぞれ移動することを特徴とする請求項４記載の照明器具。
【請求項６】
ランプを保持する灯体部と、灯体部を昇降可能に吊り下げ支持する器具本体と、モータを有しモータへの通電時に器具本体に対して灯体部を昇降させる昇降装置と、モータへの電力供給路上に挿入されモータへの通電を入切する開閉素子と、灯体部の上昇および下降の少なくとも一方について灯体部の昇降を停止させる位置として設定された停止位置まで灯体部が昇降したことを検出する検出手段と、灯体部の昇降中には開閉素子をオンし灯体部が停止位置まで昇降したことが検出手段で検出されたときに開閉素子をオフする制御手段と、モータへの電力供給路上において前記開閉素子と直列に接続された機械接点および当該機械接点をオンオフするように操作される操作子を有し、灯体部が前記停止位置を越えて過昇降位置まで昇降すると操作子が操作されて前記機械接点をオフする過昇降防止スイッチとを備え、器具本体は複数本のワイヤによって灯体部を吊り下げ支持し、昇降装置は、ワイヤが巻き取り量によって巻径が変化するように巻回されたリールを有し、モータによってリールを回転させてワイヤの巻き取りおよび巻き出しを行うことにより灯体部を昇降させており、検出手段は制御手段に接続された機械接点と当該機械接点をオンオフするように操作される操作子とを有し、灯体部の上昇時に作動する検出手段および過昇降防止スイッチは、灯体部が停止位置と過昇降位置との各々まで昇降したときに、灯体部の昇降に伴って移動する１個の上昇検出子によって各操作子が順次操作されるように配置され、上昇検出子は、器具本体に上下移動可能に設けられており、灯体部の上昇時に灯体部に押圧されることにより上方に移動し、灯体部の下降時に作動する検出手段および過昇降防止スイッチは、灯体部が停止位置と過昇降位置との各々まで昇降したときに、灯体部の昇降に伴ってそれぞれ移動する別々の下降検出子によって各操作子が順次操作されるように配置され、各下降検出子は、リールでのワイヤの巻き取り量に応じてワイヤの巻径が変化すると、異なるワイヤのリールから引き出された部分にそれぞれ押圧されることにより各ワイヤの長手方向に交わる面内でそれぞれ移動することを特徴とする照明器具。
【発明の詳細な説明】
【技術分野】
【０００１】
本発明は、ランプを保持する灯体部を昇降させる昇降装置を備えた照明器具に関するものである。
【背景技術】
【０００２】
従来から、ランプを保持する灯体部と、天井に取り付けられるとともに灯体部をワイヤ等によって昇降可能に吊り下げ支持する器具本体と、器具本体に対して灯体部を昇降させる電動式の昇降装置と、灯体部を昇降させるように昇降装置への通電を制御する制御手段とを備え、灯体部を昇降させることができる照明器具が提供されている。この構成の照明器具は、灯体部を低い位置に降ろした状態で灯体部に保持されたランプの交換作業を容易に行えるという利点や、生活環境あるいは生活場面に合わせて灯体部の高さを自在に設定できるという利点がある（たとえば特許文献１参照）。
【０００３】
ところで、この種の照明器具では、灯体部を昇降させる動力源としてのモータを昇降装置に備え、モータへの電力供給路上に挿入された開閉素子（リレー等）のオンオフを制御手段としてのマイコンなどにより制御するものが一般的である。制御手段は灯体部を昇降させる際に開閉素子をオンすることによりモータへの通電を行う。
【０００４】
ここにおいて、灯体部の昇降範囲を制限して灯体部の衝突などを回避するために、灯体部の昇降を停止させる停止位置まで灯体部が昇降したことを検出する検出手段（リミットスイッチ等）を設け、検出手段で灯体部が停止位置に到達したことを検出した時には開閉素子をオフして灯体部を停止させる構成を制御手段に採用することが考えられている（たとえば特許文献２参照）。
【特許文献１】特開２００２−１０９９４８号公報（第３−４頁）
【特許文献２】特開平７−２１１１２５号公報（第３頁）
【発明の開示】
【発明が解決しようとする課題】
【０００５】
しかし、上述の構成では、外来ノイズ等の影響により制御手段が誤作動したり、制御手段が故障したりする不具合が生じた場合に、灯体部が停止位置に到達したことを検出部で検出しているにもかかわらず、開閉素子がオフされず昇降装置が灯体部を上昇あるいは下降させ続ける可能性がある。すなわち、灯体部を上昇させる場合を例に挙げて説明すると、制御手段に不具合が生じると、灯体部が停止位置を越えて上昇し続けることがある。この場合に、たとえば灯体部が器具本体に当接すると灯体部をそれ以上上昇させることはできないから、モータの回転が止まりモータに過電流が流れることによりモータの温度が上昇する。
【０００６】
ここに、温度上昇によるモータの焼損等を防止するために、モータがある温度に達するとモータへの通電を遮断する温度ヒューズを用いることが考えられるが、温度ヒューズが一旦溶断すると、制御手段のリセットなどにより制御手段の不具合が解消されたとしても、温度ヒューズを交換するまではモータへの通電を再開することができず、使い勝手がよくない。また、温度ヒューズに代えて、ある温度に達するとモータへの通電を遮断し、且つ温度低下により自動復帰するサーマルプロテクタをモータに取り付けることも考えられるが、この構成ではモータの温度が下がるとモータへの通電が自動的に再開されるから、モータの過負荷状態は断続的に続くこととなり、過電流によるモータの温度上昇を抑制することはできない。
【０００７】
本発明は上記事由に鑑みて為されたものであって、制御手段に不具合が生じた場合でも、過電流によるモータの温度上昇を抑制することができる照明器具を提供することを目的とする。
【課題を解決するための手段】
【０００８】
請求項１の発明は、ランプを保持する灯体部と、灯体部を昇降可能に吊り下げ支持する器具本体と、モータを有しモータへの通電時に器具本体に対して灯体部を昇降させる昇降装置と、モータへの電力供給路上に挿入されモータへの通電を入切する開閉素子と、灯体部の上昇および下降の少なくとも一方について灯体部の昇降を停止させる位置として設定された停止位置まで灯体部が昇降したことを検出する検出手段と、灯体部の昇降中には開閉素子をオンし灯体部が停止位置まで昇降したことが検出手段で検出されたときに開閉素子をオフする制御手段と、モータへの電力供給路上において前記開閉素子と直列に接続された機械接点および当該機械接点をオンオフするように操作される操作子を有し、灯体部が前記停止位置を越えて過昇降位置まで昇降すると操作子が操作されて前記機械接点をオフする過昇降防止スイッチとを備えることを特徴とする。
【０００９】
この構成によれば、灯体部が停止位置を越えて過昇降位置まで昇降すると、過昇降防止スイッチの機械接点がオフして制御手段を介さずにモータへの通電が遮断される。したがって、制御手段に不具合が生じ、検出手段での検出時に開閉素子をオフすることができず昇降装置が停止位置を越えて灯体部を昇降させることがあっても、過昇降位置において開閉素子のオンオフにかかわらずモータへの通電は遮断され、過電流によるモータの温度上昇を抑制することができる。
【００１０】
請求項２の発明は、請求項１の発明において、前記検出手段が前記制御手段に接続された機械接点と当該機械接点をオンオフするように操作される操作子とを有し、検出手段および前記過昇降防止スイッチが、前記灯体部が前記停止位置と前記過昇降位置との各々まで昇降したときに、灯体部の昇降に伴って移動する１個の昇降検出子によって各操作子が順次操作されるように配置されることを特徴とする。
【００１１】
この構成によれば、検出手段と過昇降防止スイッチとの両方の操作子が１個の昇降検出子によって操作されるので、検出手段と過昇降防止スイッチとの各操作子を別々の昇降検出子で操作する場合に比べて、部品点数が減少し、また、機械的可動部分が減少するので故障しにくくなる。
【００１２】
請求項３の発明は、請求項２の発明において、前記昇降検出子が、前記器具本体に上下移動可能に設けられており、前記灯体部の上昇時に灯体部に押圧されることにより上方に移動することを特徴とする。
【００１３】
この構成によれば、器具本体に設けられた昇降検出子が、灯体部の上昇時に灯体部に押圧されることにより上方に移動して検出手段と過昇降防止スイッチとの各操作子を操作するので、灯体部が器具本体に衝突して破損することを確実に防止できるという利点がある。
【００１４】
請求項４の発明は、請求項１の発明において、前記検出手段が前記制御手段に接続された機械接点と当該機械接点をオンオフするように操作される操作子とを有し、検出手段および前記過昇降防止スイッチが、前記灯体部が前記停止位置と前記過昇降位置との各々まで昇降したときに、灯体部の昇降に伴ってそれぞれ移動する別々の昇降検出子によって各操作子が順次操作されるように配置されることを特徴とする。
【００１５】
この構成によれば、検出手段と過昇降防止スイッチとの各操作子が別々の昇降検出子によってそれぞれ操作されるので、検出手段と過昇降防止スイッチとの両方の操作子を１個の昇降検出子で操作する場合に比べて、検出手段を作動させる停止位置と過昇降防止スイッチを作動させる過昇降位置との設定の自由度が高くなる。
【００１６】
請求項５の発明は、請求項４の発明において、前記器具本体が複数本のワイヤによって前記灯体部を吊り下げ支持し、前記昇降装置が、ワイヤが巻き取り量によって巻径が変化するように巻回されたリールを有し、前記モータによってリールを回転させてワイヤの巻き取りおよび巻き出しを行うことにより灯体部を昇降させており、前記各昇降検出子が、リールでのワイヤの巻き取り量に応じてワイヤの巻径が変化すると、異なるワイヤのリールから引き出された部分にそれぞれ押圧されることにより各ワイヤの長手方向に交わる面内でそれぞれ移動することを特徴とする。
【００１７】
この構成によれば、各昇降検出子は、異なるワイヤのリールから引き出された部分にそれぞれ押圧されることにより各ワイヤの長手方向に交わる面内でそれぞれ移動するものであって、各ワイヤの引き出し方向への移動を妨げるものではないので、検出手段および過昇降防止スイッチの各操作子を操作する際に昇降装置に加わる負荷を増大させることはなく、昇降装置にストレスがかかりにくい。
【００１８】
請求項６の発明では、ランプを保持する灯体部と、灯体部を昇降可能に吊り下げ支持する器具本体と、モータを有しモータへの通電時に器具本体に対して灯体部を昇降させる昇降装置と、モータへの電力供給路上に挿入されモータへの通電を入切する開閉素子と、灯体部の上昇および下降の少なくとも一方について灯体部の昇降を停止させる位置として設定された停止位置まで灯体部が昇降したことを検出する検出手段と、灯体部の昇降中には開閉素子をオンし灯体部が停止位置まで昇降したことが検出手段で検出されたときに開閉素子をオフする制御手段と、モータへの電力供給路上において前記開閉素子と直列に接続された機械接点および当該機械接点をオンオフするように操作される操作子を有し、灯体部が前記停止位置を越えて過昇降位置まで昇降すると操作子が操作されて前記機械接点をオフする過昇降防止スイッチとを備え、器具本体は複数本のワイヤによって灯体部を吊り下げ支持し、昇降装置は、ワイヤが巻き取り量によって巻径が変化するように巻回されたリールを有し、モータによってリールを回転させてワイヤの巻き取りおよび巻き出しを行うことにより灯体部を昇降させており、検出手段は制御手段に接続された機械接点と当該機械接点をオンオフするように操作される操作子とを有し、灯体部の上昇時に作動する検出手段および過昇降防止スイッチは、灯体部が停止位置と過昇降位置との各々まで昇降したときに、灯体部の昇降に伴って移動する１個の上昇検出子によって各操作子が順次操作されるように配置され、上昇検出子は、器具本体に上下移動可能に設けられており、灯体部の上昇時に灯体部に押圧されることにより上方に移動し、灯体部の下降時に作動する検出手段および過昇降防止スイッチは、灯体部が停止位置と過昇降位置との各々まで昇降したときに、灯体部の昇降に伴ってそれぞれ移動する別々の下降検出子によって各操作子が順次操作されるように配置され、各下降検出子は、リールでのワイヤの巻き取り量に応じてワイヤの巻径が変化すると、異なるワイヤのリールから引き出された部分にそれぞれ押圧されることにより各ワイヤの長手方向に交わる面内でそれぞれ移動することを特徴とする。
【００１９】
この構成によれば、灯体部が停止位置を越えて過昇降位置まで昇降すると、過昇降防止スイッチの機械接点がオフして制御手段を介さずにモータへの通電が遮断される。したがって、制御手段に不具合が生じ、検出手段での検出時に開閉素子をオフすることができず昇降装置が停止位置を越えて灯体部を昇降させることがあっても、過昇降位置において開閉素子のオンオフにかかわらずモータへの通電は遮断され、過電流によるモータの温度上昇を抑制することができる。灯体部の上昇時に作動する検出手段と過昇降防止スイッチとの両方の操作子が１個の上昇検出子によって操作されるので、これらの検出手段と過昇降防止スイッチとの各操作子を別々の上昇検出子で操作する場合に比べて、部品点数が減少し、また、機械的可動部分が減少するので故障しにくくなる。さらに、器具本体に設けられた上昇検出子が、灯体部の上昇時に灯体部に押圧されることにより上方に移動して検出手段と過昇降防止スイッチとの各操作子を操作するので、灯体部が器具本体に衝突して破損することを確実に防止できる。また、灯体部の下降時に作動する検出手段と過昇降防止スイッチとの各操作子が別々の下降検出子によってそれぞれ操作されるので、検出手段と過昇降防止スイッチとの両方の操作子を１個の下降検出子で操作する場合に比べて、検出手段を作動させる停止位置と過昇降防止スイッチを作動させる過昇降位置との設定の自由度が高くなる。しかも、各下降検出子は、異なるワイヤのリールから引き出された部分にそれぞれ押圧されることにより各ワイヤの長手方向に交わる面内でそれぞれ移動するものであって、各ワイヤの引き出し方向への移動を妨げるものではないので、検出手段および過昇降防止スイッチの各操作子を操作する際に昇降装置に加わる負荷を増大させることはなく、昇降装置にストレスがかかりにくい。
【発明の効果】
【００２０】
本発明は、灯体部が停止位置を越えて過昇降位置まで昇降すると、過昇降防止スイッチが制御手段を介さずにモータへの通電を遮断するので、制御手段に不具合が生じ、昇降装置が停止位置を越えて灯体部を昇降させることがあっても、過昇降位置においてモータへの通電は遮断され、過電流によるモータの温度上昇を抑制することができるという利点がある。
【発明を実施するための最良の形態】
【００２１】
本実施形態の照明器具１は、図２に示すように、天井２に取り付けられた器具本体３と、器具本体３にワイヤ４によって吊り下げ支持された灯体部５とを備えている。器具本体３は天井面に上面を当接させた形で天井２に取り付けられている。灯体部５はランプ（不図示）を保持するとともに、ランプ（ここでは蛍光灯）を点灯させる点灯装置（不図示）を内部に有する。この照明器具１は交流電源ＡＣ（１００Ｖ）を電源（図１参照）としており、器具本体３は交流電源ＡＣに直接接続され、灯体部５は器具本体３から引き出された電源線（不図示）によって交流電源ＡＣに接続される。電源線は、灯体部５に設けたコードリール（不図示）によって、弛みが生じないように巻き取られる。
【００２２】
器具本体３には、図１に示すように、リモコン送信機（不図示）からのたとえば赤外線を伝送媒体とするリモコン信号を受信するリモコン受信部６と、器具本体１に対して灯体部５を上下方向に昇降させる昇降装置７と、リモコン受信部６で受信したリモコン信号の内容に従って灯体部５を昇降させるように昇降装置７の動作を制御する制御手段８とが設けられている。図１では灯体部５に設けられている回路（点灯装置等）の図示を省略する。制御手段８はマイコン９を備えており、昇降装置７の動作だけでなく、リモコン受信部６で受信したリモコン信号に従って灯体部５に設けられた点灯装置の動作も制御するように構成されている。そのため、リモコン送信機を操作することによって、照明器具１とは離れた位置から、ランプの動作状態（たとえば点灯、消灯、調光など）の制御と、灯体部５の昇降制御との両方を行うことができる。
【００２３】
さらに器具本体３には、制御手段８やリモコン受信部６や後述の上昇制御リレー１０および下降制御リレー１１に電源供給する電源部１２が設けられている。電源部１２は、交流電源ＡＣにヒューズ１３を介して接続された整流器１４（ダイオードブリッジ）と、整流器１４の出力を平滑する平滑コンデンサＣ０と、平滑コンデンサＣ０の両端間に接続され後段の第１のコンデンサＣ１の両端に直流電圧Ｖｃｃ（ここではＤＣ１２Ｖ）を生じる電源回路１５と、第１のコンデンサＣ１の両端間に接続され後段の第２のコンデンサＣ２の両端に直流電圧ＶＤＤ（ここではＤＣ５Ｖ）を生じる３端子レギュレータ１６とを備え、第１のコンデンサＣ１の両端の直流電圧Ｖｃｃを上昇制御リレー１０および下降制御リレー１１に印加し、第２のコンデンサＣ２の両端の直流電圧ＶＤＤを制御手段８およびリモコン受信部６に印加する。なお、交流電源ＡＣの両端間にはヒューズ１３を介して第３のコンデンサＣ３が接続されている。
【００２４】
昇降装置７は、灯体部５を昇降させる動力源としてのモータ１７と、モータ１７の回転に伴ってワイヤ４を巻き取りおよび巻き出し自在に回転するリール１８（図５参照）とを備え、モータ１７への通電時にリール１８が回転してワイヤ４の巻き取りあるいは巻き出しを行うことにより灯体部５を昇降させる。ワイヤ４を巻き取るか巻き出すかはモータ１７の回転方向によって決まり、ここではモータ１７を正転させた場合にリール１８がワイヤ４を巻き取ることによって灯体部５が上昇し、モータ１７を逆転させた場合にリール１８がワイヤ４を巻き出すことによって灯体部５が下降するように昇降装置７が構成される。
【００２５】
昇降装置７のモータ１７は、交流モータ（ここでは単相モータ）であって、第１および第２のコイル１９，２０を有し、各コイル１９，２０の一端がそれぞれプラス端子２１とマイナス端子２２とに接続され、各コイル１９，２０の他端同士がいずれも共通端子２３に接続されている。プラス端子２１とマイナス端子２２との間には、第１のコイル１９に流れる電流と第２のコイル２０に流れる電流との間に位相差を生じてモータ１７の回転方向を決めるコンデンサＣ４が接続されており、これによりモータ１７は、プラス端子２１と共通端子２３との間に交流電源ＡＣが接続された場合に正転し、マイナス端子２２と共通端子２３との間に交流電源ＡＣが接続された場合に逆転する。
【００２６】
ここにおいて、モータ１７の共通端子２３には前記ヒューズ１３を介して交流電源ＡＣの一端が接続され、モータ１７のプラス端子２１には制御手段８の出力に従って開閉制御される開閉素子としての上昇制御リレー１０のリレー接点１０ａと後述する過上昇防止スイッチ２４との直列回路を介して交流電源ＡＣの他端が接続され、モータ１７のマイナス端子２２には制御手段８の出力に従って開閉制御される開閉素子としての下降制御リレー１１のリレー接点１１ａと後述する過下降防止スイッチ２５との直列回路を介して交流電源ＡＣの他端が接続されている。この構成により、過上昇防止スイッチ２４がオンの状態で上昇制御リレー１０がオンする（つまりリレー接点１０ａが閉じる）とモータ１７が正転して灯体部５が上昇し、一方、過下降防止スイッチ２５がオンの状態で下降制御リレー１１がオンする（つまりリレー接点１１ａが閉じる）とモータ１７が逆転して灯体部５が下降する。なお、過上昇防止スイッチ２４と上昇制御リレー１０との両方がオンの状態で灯体部５が上昇し、過下降防止スイッチ２５と下降制御リレー１１との両方がオンの状態で灯体部５が下降する関係にあればよく、モータ１７の回転方向と灯体部５の昇降との関係は逆であってもよい。
【００２７】
上昇制御リレー１０および下降制御リレー１１の各励磁コイル１０ｂ，１１ｂはそれぞれ制御手段８によってオンオフ制御されるトランジスタＱ１，Ｑ２と直列に接続されており、励磁コイル１０ｂ，１１ｂとトランジスタＱ１，Ｑ２との各直列回路の両端間には上述した第１のコンデンサＣ１の両端の直流電圧Ｖｃｃ（ＤＣ１２Ｖ）がそれぞれ印加される。そのため、制御手段８でトランジスタＱ１をオンすることにより、上昇制御リレー１０のリレー接点１０ａが閉じ、制御手段８でトランジスタＱ２をオンすることにより、下降制御リレー１１のリレー接点１１ａが閉じることになる。ただし、制御手段８は上昇制御リレー１０と下降制御リレー１１とを同時にオンすることがないようにプログラムされている。
【００２８】
本実施形態では、灯体部５が所定の上昇停止位置（停止位置）まで上昇したことを検出する上昇時検出スイッチ２６（検出手段）と、灯体部５が上昇停止位置よりも低い所定の下降停止位置（停止位置）まで下降したことを検出する下降時検出スイッチ２７（検出手段）とが制御手段８に接続されている。上昇時検出スイッチ２６および下降時検出スイッチ２７はいずれも機械接点および当該機械接点をオンオフするように操作されるアクチュエータ（操作子）を備えた常閉型のリミットスイッチからなり、上昇時検出スイッチ２６は、灯体部５が上昇停止位置まで上昇するとアクチュエータが操作されることによってオフし、下降時検出スイッチ２７は、灯体部５が下降停止位置まで下降するとアクチュエータが操作されることによってオフする。
【００２９】
ここにおいて制御手段８は、上昇制御リレー１０をオンして昇降装置７により灯体部５を上昇させているときに、灯体部５が上昇停止位置に達して上昇時検出スイッチ２６がオフすると上昇制御リレー１０をオフして灯体部５の上昇を中止させ、一方、下降制御リレー１１をオンして昇降装置７により灯体部５を下降させているときに、灯体部５が下降停止位置に達して下降時検出スイッチ２７がオフすると下降制御リレー１１をオフして灯体部５の下降を中止させるようにプログラムされる。これにより、制御手段８によって制御可能な灯体部５の昇降範囲は上昇停止位置と下降停止位置との間に制限されることになる。
【００３０】
ところで、上述した構成だけではたとえば外来ノイズ等により制御手段８が誤作動したり、制御手段８が故障したりする不具合が生じた場合に、制御手段８による制御とは無関係に昇降装置７が灯体部５を上昇あるいは下降させる可能性があり、結果的に、前記上昇停止位置よりも高い位置まで灯体部５が上昇したり、前記下降停止位置よりも低い位置まで灯体部５が下降したりすることがある。
【００３１】
そこで、本実施形態の照明器具１は、停止位置（上昇停止位置および下降停止位置）を越えて灯体部５が昇降するとそれ以上の灯体部５の昇降を禁止する過昇降防止スイッチとして、上昇停止位置よりも高い過上昇位置（過昇降位置）まで灯体部５が上昇するとそれ以上の灯体部５の上昇を禁止する過上昇防止スイッチ２４と、下降停止位置よりも低い過下降位置（過昇降位置）まで灯体部５が下降するとそれ以上の灯体部５の下降を禁止する過下降防止スイッチ２５とを備えている。過上昇防止スイッチ２４は上述したようにモータ１７のプラス端子２１と交流電源ＡＣの他端との間に挿入され、過下降防止スイッチ２５は上述したようにモータ１７のマイナス端子２２と交流電源ＡＣの他端との間に挿入されている。
【００３２】
過上昇防止スイッチ２４および過下降防止スイッチ２５はいずれも機械接点および当該機械接点をオンオフするように操作されるアクチュエータ（操作子）を備えた常閉型のリミットスイッチからなり、過上昇防止スイッチ２４は、灯体部５が過上昇位置まで上昇した際にアクチュエータが操作されることによってオフし、過下降防止スイッチ２５は、灯体部が過下降位置まで下降した際にアクチュエータが操作されることによってオフする。
【００３３】
ここにおいて、過上昇防止スイッチ２４および過下降防止スイッチ２５はそれぞれモータ１７への電力供給路上に挿入されているので、過上昇防止スイッチ２４は、オフすることにより制御手段８の状態にかかわらずモータ１７への通電を遮断して灯体部５の上昇を強制的に禁止し、一方、過下降防止スイッチ２５は、オフすることにより制御手段８の状態にかかわらずモータ１７への通電を遮断して灯体部５の下降を強制的に禁止する。
【００３４】
この構成によれば、制御手段８に不具合が生じた場合でも、灯体部５が上昇停止位置を越えて過上昇位置まで上昇するとモータ１７への通電が遮断されて灯体部５の上昇が中止され、灯体部５が下降停止位置を越えて過下降位置まで下降するとモータ１７への通電が遮断され灯体部５の下降が中止される。言い換えると、過上昇防止スイッチ２４および過下降防止スイッチ２５によって、灯体部５の昇降範囲は制御手段８の制御に関係なく過上昇位置と過下降位置との間に制限されることになる。
【００３５】
このように、本実施形態の照明器具１では、制御手段８に不具合が生じることにより灯体部５が上昇停止位置を越えて上昇し続けても、灯体部５が過上昇位置に達した時点ではモータ１７への通電が遮断され灯体部５の上昇動作が中止されるので、たとえば灯体部５が器具本体３に当接してモータ１７の回転が止まった状態でモータ１７に電流が流れることを回避できる。
【００３６】
また、制御手段８に不具合が生じることにより灯体部５が下降停止位置を越えて下降し続けても、灯体部５が過下降位置に達した時点ではモータ１７への通電が遮断され灯体部５の下降動作が中止されるので、たとえばワイヤ４がリール１８から全て巻き出される（巻き解かれる）ことによりモータ１７の回転が止まった状態でモータ１７に電流が流れることを回避できる。
【００３７】
本実施形態の構成によれば、モータ１７に過電流が流れることによるモータ１７の温度上昇を抑制できるという利点がある。
【００３８】
以下に、上述の過上昇防止スイッチ２４並びに上昇時検出スイッチ２６を操作する構造について図２ないし図４を参照して説明する。上昇時検出スイッチ２６および過上昇防止スイッチ２４は、図２に示すように器具本体３における灯体部５との対向面（取付時の下面）から灯体部５側に突出するように器具本体３に設けられた棒状の上昇検出子２８（昇降検出子）の変位を監視することにより、灯体部５が上昇停止位置まで上昇したときに上昇時検出スイッチ２６がオフし、灯体部５が過上昇位置まで上昇したときに過上昇防止スイッチ２４がオフする。
【００３９】
上昇検出子２８は、図３（ａ）に示すように器具本体３の下面に設けた透孔２９に挿通され、器具本体３の下面からの突出量を変化させるように器具本体３に対して上下方向に進退可能に保持される。上昇検出子２８の上部が挿入される筒部３０が器具本体３内に形成され、筒部３０内に設けたコイルばね３１によって上昇検出子２８を器具本体３下面から突出させる向きに付勢するとともに、上昇検出子２８の一部には抜け止め用の鍔部３２が設けられている。そのため、図２に示すように灯体部５が上昇検出子２８に接触していない状態では、上昇検出子２８は図３（ａ）のように鍔部３２を器具本体３の内側面における透孔２９の周囲に当接させることにより抜け止めされ、灯体部５を図４（ａ）に示す上昇停止位置まで上昇させると、上昇検出子２８は灯体部５の上面で押圧され図３（ｂ）のようにコイルばね３１のばね力に抗して上昇し、図４（ａ）の状態からさらに図４（ｂ）に示す過上昇位置まで灯体部５を上昇させると、上昇検出子２８は図３（ｃ）のようにコイルばね３１のばね力に抗して図３（ｂ）の位置からさらに上昇する。
【００４０】
上昇時検出スイッチ２６および過上昇防止スイッチ２４は、それぞれ器具本体３内における上昇検出子２８の各側方に配置されるとともに、それぞれ上昇検出子２８側にヒンジレバー形のアクチュエータ２６ａ，２４ａを有し、各アクチュエータ２６ａ，２４ａの先端部には上昇検出子２８側に凸となる湾曲部２６ｂ，２４ｂがそれぞれ形成されている。上昇時検出スイッチ２６および過上昇防止スイッチ２４は、それぞれアクチュエータ２６ａ，２４ａが押操作されることによりオフとなる。
【００４１】
ここにおいて、上昇検出子２８の上端部と鍔部３２との中間部には、両側方に張り出した一対の突起部３３が形成されている。上昇時検出スイッチ２６は、灯体部５が図４（ａ）に示す上昇停止位置にある状態で突起部３３によってアクチュエータ２６ａの湾曲部２６ｂが押される（図３（ｂ）参照）ように上昇検出子２８との上下方向の位置関係が設定され、一方、過上昇防止スイッチ２４は、灯体部５が図４（ｂ）に示す過上昇位置にある状態で突起部３３によってアクチュエータ２４ａの湾曲部２４ｂが押される（図３（ｃ）参照）ように上昇検出子２８との上下方向の位置関係が設定されている。なお、突起部３３について上昇検出子２８の移動方向に幅を持たせることにより、上昇時検出スイッチ２６は、灯体部５が上昇停止位置にある状態だけでなく、過上昇位置にある状態でも図３（ｃ）に示すように突起部３３に湾曲部２６ｂが押されてオフとなる。
【００４２】
このように上昇時検出スイッチ２６と過上昇防止スイッチ２４とは、同一の上昇検出子２８によってそれぞれアクチュエータ２６ａ，２４ａが操作されるので、過上昇位置を上昇停止位置の比較的近くに設定しながらも、たとえば本実施形態のように過上昇防止スイッチ２４を上昇時検出スイッチ２６よりもやや上方に配置することにより、上昇時検出スイッチ２６の動作点（上昇停止位置）と過上昇防止スイッチ２４の動作点（過上昇位置）とを明確に分けることができる。したがって、過上昇防止スイッチ２４がオフする前に必ず上昇時検出スイッチ２６がオフすることになる。
【００４３】
さらに、上昇時検出スイッチ２６と過上昇防止スイッチ２４とを別々の上昇検出子２８で操作する場合に比べて、部品点数が減少し、また機械的可動部分が減少するので故障しにくくなるという利点もある。しかも、上昇時検出スイッチ２６と過上昇防止スイッチ２４とが器具本体３に設けられているので、上昇時検出スイッチ２６と過上昇防止スイッチ２４とを灯体部５に設ける場合に比べて、灯体部５を軽量化して昇降装置７の負荷を軽減することができる。なお、上述した上昇検出子２８を省略し、灯体部５にアクチュエータ２６ａ，２４ａを直接押操作させることにより灯体部５を上昇検出子として機能させてもよい。
【００４４】
次に、過下降防止スイッチ２５並びに下降時検出スイッチ２７を操作する構造について図５ないし図７を参照して説明する。下降時検出スイッチ２７および過下降防止スイッチ２５は、器具本体３に設けた昇降装置７のリール１８でのワイヤ４の巻き取り量に応じて移動する下降検出子３４（昇降検出子）の変位を監視することにより、灯体部５が下降停止位置まで下降したときに下降時検出スイッチ２７がオフし、灯体部５が過下降位置まで下降したときに過下降防止スイッチ２５がオフする。
【００４５】
リール１８は、器具本体３の上面に沿う面内で回転するように配置されるものであって、図５（ａ）に示すように３本のワイヤ４が巻きつけられる円環状の巻回部３５を有し、巻回部３５の内側に各ワイヤ４の一端部を保持している。巻回部３５には３箇所の切欠孔３６が周方向に略等間隔で形成されており、ワイヤ４は各切欠孔３６を通してそれぞれ引き出される。ワイヤ４は、リール１８から天井面に沿って引き出されており、器具本体３内におけるリール１８の周囲に設けられワイヤ４を引き出す向きを下方に変えるように回転自在なプーリ３７に掛けられて、器具本体３から下方に引き出される。ここに、ワイヤ４は、リール１８に巻き取られた状態では図５（ａ）に実線Ａで示すように巻回部３５に複数層に巻回されており、リール１８から巻き出されるに従って図５（ａ）に一点鎖線Ｂで示すようにリール１８からの引き出し位置がリール１８の回転中心に近づくように変化する。さらに、巻回部３５における切欠孔３６付近は、各切欠孔３６からワイヤ４が引き出される向きに巻回部３５の外周の半径を徐々に大きくするテーパ面３８が形成されており、図５（ｂ）に示すようにワイヤ４が巻き出された状態では、リール１８の回転に伴ってワイヤ４の引き出し位置における巻回部３５の半径が変化するため、リール１８からのワイヤ４の引き出し位置が比較的大きく変化する。
【００４６】
下降検出子３４は、リール１８とプーリ３７との間に配置されており、図６（ａ）に示すように一端部（図中上端部）にワイヤ４が挿通される環状の可動部３４ａが形成され、他端部（図中下端部）にはワイヤ４に交差する面内で回動可能となるように器具本体３に軸支される軸支部３４ｂが形成されている。可動部３４ａと軸支部３４ｂとは連結部３４ｃによって連結されており、連結部３４ｃおよび可動部３４ａは軸支部３４ｂを中心としてワイヤ４に交差する面内で回動可能となる。ここに、各ワイヤ４には灯体部５の自重によりそれぞれ張力が作用しているので、ワイヤ４のうちの可動部３４ａに挿通されている部位においては張力によって常に剛性が確保される。これにより、リール１８でのワイヤ４の巻き取り量が変化すると、リール１８からのワイヤ４の引き出し位置の変化に伴い可動部３４ａがワイヤ４に押されて移動し、下降検出子３４が軸支部３４ｂを中心に回動することとなる。下降検出子３４は３本のうちの２本のワイヤ４についてそれぞれ１個ずつ設けられる。
【００４７】
下降時検出スイッチ２７および過下降防止スイッチ２５は、それぞれ器具本体３内における各下降検出子３４の側方に配置されるとともに、それぞれ下降検出子３４側にヒンジレバー形のアクチュエータ２７ａ，２５ａを有している。下降時検出スイッチ２７および過下降防止スイッチ２５は、それぞれアクチュエータ２７ａ，２５ａが押操作されることによりオフとなる。ここに、下降時検出スイッチ２７および過下降防止スイッチ２５は、それぞれ取付部材３９を用いて下降検出子３４と共に器具本体３に取り付けられる。
【００４８】
下降時検出スイッチ２７は、灯体部５が上昇停止位置にある状態を基準にすると、ワイヤ４が巻き出されて下降検出子３４が変位量ａだけ変位した状態で下降検出子３４の可動部３４ａによってアクチュエータ２７ａが押される（図６（ｂ）参照）ように下降検出子３４との位置関係が設定され、一方、過下降防止スイッチ２５は、ワイヤ４が巻き出されて下降検出子３４が変位量ｂ（ｂ＞ａ）だけ変位した状態で下降検出子３４の可動部３４ａによってアクチュエータ２５ａが押される（図７（ｂ）参照）ように下降検出子３４との位置関係が設定されている。すなわち、ワイヤ４が巻き出されて下降検出子３４が変位量ａだけ変位した状態での灯体部５の位置が下降停止位置となり、さらにワイヤ４が巻き出されて下降検出子３４が変位量ｂだけ変位した状態での灯体部５の位置が過下降位置となる。なお、下降時検出スイッチ２７は、灯体部５が下降停止位置にある状態だけでなく、過下降位置にある状態でも下降検出子３４にアクチュエータ２７ａが押されてオフとなる。
【００４９】
このように下降時検出スイッチ２７と過下降防止スイッチ２５とは、別々の下降検出子３４によってそれぞれアクチュエータ２７ａ，２５ａが操作されるので、一方の下降検出子３４が動作しない不具合が生じても、他方の下降検出子３４によって下降時検出スイッチ２７あるいは過下降防止スイッチ２５を操作することができ、下降停止位置あるいは過下降位置において灯体部５を停止させることができる。また、下降検出子３４がリール１８からのワイヤ４の引き出し位置の変化に伴い移動するので、下降検出子３４をリール１８と共に器具本体３内に収めることによって下降検出子３４が露出する場合に比べて照明器具１の外観をよくできるという利点がある。なお、上述した下降検出子３４を省略し、ワイヤ４にアクチュエータ２７ａ，２５ａを直接押操作させることによりワイヤ４を下降検出子として機能させてもよい。
【００５０】
ところで、上述の実施形態では、モータ１７に過電流が流れることによるモータ１７の温度上昇を抑制するために、過昇降防止スイッチとして過上昇防止スイッチ２４と過下降防止スイッチ２５との両方を備えた照明器具１を例示したが、昇降装置７の構造などにより、灯体部５が下降停止位置を越えて下降し続けてもモータ１７に過電流が流れる等の問題が生じない場合には、過下降防止スイッチ２５を省略してもよく、逆に、灯体部５が上昇停止位置を越えて上昇し続けてもモータ１７に過電流が流れる等の問題が生じない場合には、過上昇防止スイッチ２４を省略してもよい。
【００５１】
ただし、昇降装置７の構造によっては、灯体部５が下降停止位置を越えて下降し続けワイヤ４がリール１８から全て巻き出された状態でもモータ１７が回転を続けることによりリール１８にワイヤ４が逆巻きに巻き取られ、モータ１７が逆転した状態で灯体部５が上昇を開始することもある。この種の昇降装置７を備えた照明器具１では、モータ１７が逆転した状態で灯体部５が過上昇位置まで上昇したときに、過上昇防止スイッチ２４がオフしても灯体部５の上昇を中止させることはできないので、過上昇防止スイッチ２４と過下降防止スイッチ２５とを両方設けることが望ましい。
【００５２】
なお、上述の実施形態では、開閉素子として機械接点を有するリレー（上昇制御リレー１０および下降制御リレー１１）を例示したが、たとえば３端子双方向サイリスタ（トライアック）やフォトＭＯＳリレー等の機械接点のないスイッチング素子などを上昇制御リレー１０や下降制御リレー１１の代わりに開閉素子として用いてもよい。
【図面の簡単な説明】
【００５３】
【図１】本発明の実施形態の要部を示す概略回路図である。
【図２】同上の構成を示す側面図である。
【図３】同上の要部を示し、（ａ）は灯体部が器具本体から離れた状態の断面図、（ｂ）は灯体部が上昇停止位置にある状態の断面図、（ｃ）は灯体部が過上昇位置にある状態の断面図である。
【図４】同上の構成を示し、（ａ）は灯体部が上昇停止位置にある状態の側面図、（ｂ）は灯体部が過上昇位置にある状態の側面図ある。
【図５】同上の要部の構成を示し、（ａ）はワイヤが巻き取られた状態の上面図、（ｂ）はワイヤが巻き出された状態の上面図ある。
【図６】同上の要部の構成を示し、（ａ）はワイヤが巻き取られた状態の断面図、（ｂ）はワイヤが巻き出された状態の断面図ある。
【図７】同上の要部の構成を示し、（ａ）はワイヤが巻き取られた状態の断面図、（ｂ）はワイヤが巻き出された状態の断面図ある。
【符号の説明】
【００５４】
１  照明器具
３  器具本体
４  ワイヤ
５  灯体部
７  昇降装置
８  制御手段
１０  上昇制御リレー（開閉素子）
１１  下降制御リレー（開閉素子）
１７  モータ
１８  リール
２４  過上昇防止スイッチ（過昇降防止スイッチ）
２５  過下降防止スイッチ（過昇降防止スイッチ）
２６  上昇時検出スイッチ（検出手段）
２７  下降時検出スイッチ（検出手段）
２８  上昇検出子（昇降検出子）
３４  下降検出子（昇降検出子）
２４ａ〜２７ａ  アクチュエータ（操作子）
【図１】
2008091157.tif 000003
【図２】
2008091157.tif 000004
【図３】
2008091157.tif 000005
【図４】
2008091157.tif 000006
【図５】
2008091157.tif 000007
【図６】
2008091157.tif 000008
【図７】
2008091157.tif 000009